(57)【要約】      （修正有）【課題】立った姿勢で長い靴ベラで靴を履く場合、靴のベロが足の甲に引っかかり靴の中に引き込まれうまく履けない。この不便さ、非効率を無くすことができる靴ベラを提供する。【解決手段】立った姿勢でハンドル１を握り、靴の中に靴の踵用の靴ベラ３と靴のベロ用のヘラ４を入れ、支え棒８の下端の石突５は靴の踵の外で床に接し、ハンドル１の操作で第１連結軸２を中心に靴のベロ用のヘラ４で靴のベロを前に押すと靴は前にずれ、靴の踵用の靴ベラ３は靴が前にずれたことにより第２連結軸９を中心に回動して第２ストッパー１５が支え棒８に接すると靴のベロ用のヘラ４は足の入る履き口を大きく開く。この状態では靴の踵と靴のベロを２つのヘラ３、４でガイドして履き口を大きくしているので足の踵も甲も靴と干渉せず容易に履ける。【選択図】図１
2019115644.tif 000002
【特許請求の範囲】
【請求項１】
上部にハンドルを下部に靴のベロ用のヘラを備えた開き棒と、該開き棒と下端に石突を備えた支え棒とが第１連結軸で軸支され、該支え棒の略中央部に靴の踵用の靴ベラが前記石突を支点に回動できるように第２連結軸で軸支されていることを特徴とする靴ベラ。
【請求項２】
前記開き棒と前記靴の踵用の靴ベラは、スプリングの両端でつながるワイヤーによりプーリを介して前記開き棒と前記靴の踵用の靴ベラにつながり、常時引っぱられることを特徴とする靴ベラ。
【請求項３】
立った姿勢で前記ハンドルを握り、前記支え棒の下端の前記石突を床に着け、同時に前記靴の踵用の靴ベラと前記靴のベロ用のヘラを靴の中に入れ、前記ハンドルの操作力で前記第１連結軸を中心に前記靴のベロ用のヘラで靴のベロを前に押しながら、前記靴の踵用の靴ベラは第２連結軸を中心に回動し第２ストッパーが前記支え棒に接すると前記靴のベロ用のヘラは履き口を大きく開き、前記ハンドルの操作力は前記石突を軸に、前記靴の踵用の靴ベラ、前記靴のベロ用のヘラの間で力が均衡し前記ハンドルを握っていてもふらつかないで安定して足を入れ靴が履ける靴ベラ。
【請求項４】
前記石突が地面に接することで、片手で前記開き棒の反力が支えられ回動を容易にした靴ベラ。
【請求項５】
請求項の１から４のいずれかの靴ベラを備えた杖。
【請求項６】
前記開き棒、前記支え棒が平行となり、該開き棒と該支え棒を固着具で拘束すれば杖の機能も持つことを特徴とする、請求項の１から５までのいずれかを有する靴ベラおよびこれを備えた杖。
【請求項７】
支え棒は中空であり、かつ上端のハンドルから下端の支点まで一体となっており、前記支え棒の内部に入れ子式に摺動する第１ロッドを有することを特徴とする請求項１および２、４、５までのいずれかを有する靴ベラおよびこれを備えた杖。
【発明の詳細な説明】
【技術分野】
【０００１】  本発明は、膝を屈めず立ったまま容易に靴が履ける靴ベラを備えた杖に関する。
【背景技術】
【０００２】  従来の靴ベラを備えた杖として、膝が悪く立ったまま靴を履くとき、体重を反対片足と杖に負担させることで、身体のバランスを保ちながら靴の脱着行為ができるものがある（例えば特許文献１）。また、靴のベロも靴の中に入らないようにガイドするものがある（例えば特許文献２）。
【先行技術文献】
【特許文献】
【０００３】
【特許文献１】特許第４７８８９３３号公報
【特許文献２】特開２００４−８５９９号公報
【発明の概要】
【発明が解決しようとする課題】
【０００４】  解決しようとする問題点は、立ったまま靴を履くとき、特許文献１の靴ベラを備えた杖では踵側は履けても、足の甲側は靴のベロが靴の中に入ってしまい、うまく履けない点である。また、特許文献２の靴脱着用器具は立ったまま靴を履くとき、ベロが靴の中には入らないものの、身体を支えるものがないためふらついてしまうことである。また靴の踵の靴ベラが回動しないため可動アームが障害となり足の入るスペースが狭い。そこで本発明は身体を支えながら、一度で踵側、足の甲側を容易に履ける靴ベラを備えた杖を提供することを課題とする。
【課題を解決するための手段】
【０００５】  本発明は、立った姿勢で靴を履く場合、靴の踵の靴ベラだけでなく靴のベロもヘラでガイドして足を靴に挿入しやすくした２つのヘラを有し、立ったまま片手で支え棒の下端の石突が靴の外で床に接し、２つのヘラの開閉が容易に操作でき２つのヘラでガイドしながら履き口を広げる機能を有することを主要な特徴とする靴ベラとこれを備えた杖に関する。
【発明の効果】
【０００６】  本発明の靴ベラおよびこれを備えた杖は、靴の踵と靴のベロを２つのヘラでガイドし履き口を広げる機能を有するので立ったまま短時間でふらつくことなく靴を容易に履ける利点がある。
【図面の簡単な説明】
【０００７】
【図１】  靴ベラを靴に挿入した側面図である。
【図２】  靴ベラを靴に挿入し履きやすいよう履き口を広げた側面図である。
【図３】  靴ベラを靴に挿入した側面図である。
【図４】  靴ベラを靴に挿入し履きやすいよう履き口を広げた側面図である。
【図５】  靴ベラを靴に挿入した側面図である。
【図６】  靴ベラを靴に挿入し履きやすいよう履き口を広げた側面図である。
【図７】  靴ベラを靴に挿入した側面図である。
【図８】  靴ベラを靴に挿入し履きやすいよう履き口を広げた側面図である。
【図９】  靴ベラを靴に挿入した側面図である。
【図１０】  靴ベラを靴に挿入し履きやすいよう履き口を広げた側面図である。
【発明を実施するための形態】
【０００８】  靴を履くためには、靴の踵と靴のベロの２か所に障害箇所があるため、それを２つのヘラを一度で開き、履き口を広げ楽な姿勢で容易に履けることを実現した。
【０００９】  （第１実施形態）
（構成）
図１は、本発明装置の側面図であって、立った姿勢でハンドル１を握り、支え棒８の下端の石突５を床に着け、同時に靴の踵用の靴ベラ３と靴のベロ用のヘラ４を靴の中に入れた図である。
【００１０】  図２は、支点となる石突５を床に着け、ハンドル１の操作力で第１連結軸２を中心に靴のベロ用のヘラ４で靴のベロを前に押すと靴は前にずれ、靴の踵用の靴ベラ３は靴が前にずれたことにより第２連結軸９を中心に回動して、第２ストッパー１５が支え棒８に接すると靴のベロ用のヘラ４は足の入る履き口を大きく開く。靴の踵と靴のベロを２つのヘラ３、４でガイドして履き口を大きくして足を入りやすくした図である。その結果、ハンドル１の操作力は支点となる石突５を軸に、靴の踵用の靴ベラ３、靴のベロ用のヘラ４の間で力が均衡しハンドル１を握っていてもふらつかないで安定して足を入れ靴が履ける。
【００１１】  本発明装置の格納時は、常に図１の姿勢が再現できるよう、開き棒７と靴の踵用の靴ベラ３は、中空の支え棒８の内部のスプリング６の両端でつながる第１ワイヤー１０、第２ワイヤー１１により第１プーリ１２、第２プーリ１３を介してつながり、常時引っぱられるので２つのヘラ３、４は接し、靴の踵用の靴ベラ３の第１ストッパー１４は支え棒８に接し図１の姿勢を再現する。
【００１２】  図１の姿勢はハンドル１、開き棒７、支え棒８が床に垂直となり、開き棒７と支え棒８をバンドなどの固着具１６で拘束すれば杖の機能も持つ。
【００１３】  （第２実施形態）
（構成）
次に、本発明の第２実施形態を図３、図４で説明する。
第２実施形態は、上記第１実施形態の開き棒７を曲げて、スプリング６に変えてねじりスプリングで靴の踵用の靴ベラの回動を制御する点で上記第１実施形態とは異なる。
【００１４】  以下、上記第１実施形態と同じ部分には同じ符号を伏して、適宜説明を省略し異なる部分を詳細に説明する。図４に示すように、曲がった開き棒７Ａでは、靴の履き口を広げた時、支え棒８Ａがほぼ垂直の状態で靴が履ける。又、図１のスプリング６は両端でつながる第１ワイヤー１０、第２ワイヤー１１により、常時引っぱられるので図１の姿勢を再現するが、図３の姿勢を再現するのはねじりスプリング６Ａとゴム紐６Ｂである。第２実施形態は第１実施形態より機構はシンプルである。
【００１５】  （第３実施形態）
（構成）
次に、本発明の第３実施形態を図５、図６で説明する。
第３実施形態は、上記第１実施形態の図１のスプリング６、第１ワイヤー１０、第２ワイヤー１１、第１プーリ１２、第２プーリ１３に変えて図５のようにゴム紐６Ｃで靴の格納時を再現することで第１実施形態とは異なる。
【００１６】  図５の開き棒７Ｃと靴の踵用の靴ベラ３Ｃは、ゴム紐６Ｃでつながり、常時引っぱられるので第１連結軸２と第２連結軸９で回動し、ヘラ３Ｃとヘラ４は接し、靴の踵用の靴ベラ３Ｃのストパー１４Ｃは支え棒８Ｃに接し図５の姿勢を常に再現する。図６はハンドル１の操作で第１実施形態の図２と同じく履き口を大きくして足を入りやすくした図である。
【００１７】  （第４実施形態）
（構成）
次に、本発明の第４実施形態を図７、図８で説明する。
第４実施形態は、上記第１実施形態の支え棒８を上まで伸ばし杖としたもので上記第１実施形態とは異なる。
【００１８】  図７は、立った姿勢でハンドル１Ｄを握り、支え棒８Ｄの下端の石突５を床に着け、同時に靴の踵用の靴ベラ３Ｄと靴のベロ用のヘラ４Ｄを靴の中に入れた図である。
【００１９】  図８は、ハンドル１Ｄに手を置き指で引き金１９を引き上げると、連結する第１ロッド１７の下端の第３連結軸２０が上に持ち上がり、連結する第２ロッド１８が第４連結軸２１を介して開き棒７Ｄを前に押す。この第２ロッド１８はトグルリンク機構になるので操作力は指を使っても軽い。その結果、第１連結軸２を中心に靴のベロ用のヘラ４Ｄで靴のベロを前に押すと靴は前にずれ、靴の踵用の靴ベラ３Ｄは靴が前にずれたことにより第２連結軸９を中心に回動して足の入る履き口を大きく開く。靴の踵と靴のベロを２つのヘラ３Ｄ、４Ｄでガイドして履き口を大きくして足を入りやすくした図である。
【００２０】  本発明装置の格納時は、常に図７の姿勢が再現できるよう、開き棒７Ｄと靴の踵用の靴ベラ３Ｄは、中空の支え棒８Ｄの内部のスプリング６の両端でつながる第１ワイヤー１０、第２ワイヤー１１、第２ロッド１８を介してつながり、常時引っぱられるので２つのヘラ３Ｄ、４Ｄは接し、靴の踵用の靴ベラ３Ｄは支え棒８Ｄに接し図７の姿勢を再現する。
【００２１】  図７の姿勢はハンドル１Ｄを有する支え棒８Ｄが床に直接垂直に接するので杖の機能として優れている。
【００２２】  （第５実施形態）
（構成）
次に、本発明の第５実施形態を図９、図１０で説明する。
第５実施形態は、上記第４実施形態の図７の引き金１９を引き上げる機構を、図９のように押し金２２を手のひらで押し下げる機構としたもので上記第４実施形態とは異なる。
【００２３】  図９は、立った姿勢でハンドル１Ｅを握り、支え棒８Ｅの下端の石突５を床に着け、同時に靴の踵用の靴ベラ３Ｄと靴のベロ用のヘラ４Ｄを靴の中に入れた図である。
【００２４】  図１０は、押し金２２を手のひらで下に押し、連結する第１ロッド１７Ｅの下端の第１連結軸２が下に押されると、支え棒８Ｅと第３連結軸２０で連結する第２ロッド１８は第４連結軸２１を介して開き棒７Ｅを前に押す。その結果、第１連結軸２を中心に靴のベロ用のヘラ４Ｄで靴のベロを前に押し靴は前にずれ、靴の踵用の靴ベラ３Ｄは靴が前にずれたことにより第２連結軸９を中心に回動して足の入る履き口を大きく開く。靴の踵と靴のベロを２つのヘラ３Ｄ、４Ｄでガイドして履き口を大きくして足を入りやすくした図である。
【００２５】  本発明装置の格納時は、常に図９の姿勢が再現できるよう、開き棒７Ｅと靴の踵用の靴ベラ３Ｄは、中空の支え棒８Ｅの内部のスプリング６の両端でつながる第１ワイヤー１０、第２ワイヤー１１、第１プーリ１２を介してつながり、常時引っぱられるので２つのヘラ３Ｄ、４Ｄは接し、靴の踵用の靴ベラ３Ｄは支え棒８Ｅに接し図９の姿勢を再現する。
【００２６】  図９の姿勢はハンドル１Ｅを有する支え棒８Ｅが床に直接垂直に接するので杖の機能として優れている。
【符号の説明】
【００２７】  １  ハンドル
２  第１連結軸
３  靴の踵用の靴ベラ
４  靴のベロ用のヘラ
５  石突
６  スプリング
７  開き棒
８  支え棒
９  第２連結軸
１０  第１ワイヤー
１１  第２ワイヤー
１２  第１プーリ
１３  第２プーリ
１４  第１ストッパー
１５  第２ストッパー
１６  固着具
１７  第１ロッド
１８  第２ロッド
１９  引き金
２０  第３連結軸
２１  第４連結軸
２２  押し金
【図１】
2019115644.tif 000003
【図２】
2019115644.tif 000004
【図３】
2019115644.tif 000005
【図４】
2019115644.tif 000006
【図５】
2019115644.tif 000007
【図６】
2019115644.tif 000008
【図７】
2019115644.tif 000009
【図８】
2019115644.tif 000010
【図９】
2019115644.tif 000011
【図１０】
2019115644.tif 000012